(57)【特許請求の範囲】
【請求項１】
揺動操作レバーの揺動先端を係合保持する節度谷と、該節度谷に連成した節度山と、前記節度谷及び節度山を支持するとともに、前記揺動操作レバーが前記節度山を乗り越えるとき撓んで揺動する可撓性の頚部と、前記揺動操作レバーが前記節度山を乗り越えるとき、前記揺動先端から退く方向へ収縮する弾力部と、該弾力部に連設した固定用ベースとを合成樹脂により一体成形したことを特徴とする揺動操作レバーの節度構造。
【発明の詳細な説明】
【０００１】
【発明の属する技術分野】
本発明は揺動操作レバーの節度構造に関するものである。
【０００２】
【従来の技術】
スイッチ等の操作レバーの節度装置は、揺動操作により切り替えられる操作レバーを中立位置及び揺動位置に保持するものである。その節度装置は、操作レバーの先端に節度孔を形成して節度バネ及び節度ピースを装着し、節度谷及び節度山を形成した節度部に節度ピースを弾接させる構成であった。
【０００３】
【発明が解決しようとする課題】
しかしながら、上記構成では節度バネ、節度ピース及び節度部等を必要とするばかりでなく、操作レバーの先端に節度孔を加工しなければならず、コスト低減の妨げとなる。本発明は上記鑑みてなされたもので、部品点数を減らした簡易な構造にしてコストの低減を可能にした揺動操作レバーの節度構造を提供することを目的とする。
【０００４】
【課題を解決するための手段】
上記目的を達成するための請求項１に記載される本発明の揺動操作レバーの節度構造は、揺動操作レバーの揺動先端を係合保持する節度谷と、該節度谷に連成した節度山と、前記節度谷及び節度山を支持するとともに、前記揺動操作レバーが前記節度山を乗り越えるとき撓んで揺動する可撓性の頚部と、前記揺動操作レバーが前記節度山を乗り越えるとき、前記揺動先端から退く方向へ収縮する弾力部と、該弾力部に連設した固定用ベースとを合成樹脂により一体成形したことを特徴とする。
【０００５】
【発明の作用及び効果】
上記構成の揺動操作レバーの節度構造によれば、揺動操作により揺動操作レバーの揺動先端が節度山を乗り越える際には、可撓性の頚部が揺動操作レバーの揺動方向に撓んで節度谷及び節度山が揺動するとともに、弾力部が揺動先端から退く方向へ収縮する。揺動先端が節度山を乗り越えると撓んだ頚部が戻るとともに弾力部が伸長して、該揺動先端を節度谷に係合保持する。この節度構造は、頚部の撓みによる節度谷及び節度山の揺動と弾力部の収縮の重畳効果に加えて、弾力部の肉厚及び頚部の太さを適宜設定することにより、揺動操作レバーの節度感を最適に調整することができる。また、節度構造に必須である節度谷、節度山、頚部、弾力部及び固定用ベースを合成樹脂により一体成形したもので、揺動操作レバーに設ける節度ピースや節度バネを省略できコストの低減を図ることができるとともに、組み付けを簡単かつ迅速に行うことができる効果がある。
【０００６】
【発明の実施の形態】
本発明の実施の形態を添付図面を参照して説明する。図１は本発明に係る揺動操作レバーの節度構造を示した正面図、図２は同、他の実施の形態を示した正面図である。型成形による一体成形品である節度構成体１は、固定用のベース２にから一対の脚部３が延設されている。脚部３には、該脚部３の外側に略直角に膨出させた湾曲部４が連成されている。脚部３と湾曲部４に囲まれる内側には、ブランク部５が形成される。
【０００７】
上記湾曲部４からは、頚部６が連成されている。頚部６の先端部中央には、先端方に向かうに従って対応間隔を広げて対向する傾斜面７，７が形成されている。該傾斜面７，７により節度谷８が形成される。傾斜面７，７の先端には、該先端から斜め外側に後退する傾斜面９，９が形成されている。傾斜面７と９とにより節度山１０が形成される。さらに、傾斜面９，９に対向する傾斜面１１，１１が連成され、傾斜面９，１１により節度谷１２が形成される。
【０００８】
揺動操作レバー３１は、揺動中心軸３２に軸支されている。揺動操作レバー３１は、揺動先端３３を節度谷８に係合させることにより中立位置に保持される。揺動操作により揺動操作レバー３１の揺動先端３３が、傾斜面７を昇って節度山１０を乗り越える際には、傾斜面７が押され頚部６が撓んで揺動する。そして、湾曲部４がその弾力により揺動先端３３から退く方向へ収縮する。揺動先端３３が節度山１０を乗り越えると、撓んだ頚部６が戻るとともに湾曲部４が伸長して、該揺動先端３３を節度谷１２に係合保持する。揺動先端３３が節度谷１２から節度谷８に移動する場合も、節度構成体１の作動は上記と同様である。上記した節度構成体１は、頚部６の撓みによる節度谷８及び節度山１０の揺動と湾曲部４の収縮の重畳効果と、湾曲部４の肉厚、頚部６の太さ及び傾斜面７，９，１１の肉厚等を適宜設定することにより、揺動操作レバー３１の節度感を最適に調整することができる。
【０００９】
図２は、節度構成体の他の実施の形態を示すものである。節度構成体２１は、固定用ベース２２から蛇腹形状部２３が形成され、該蛇腹形状部２３に頚部２４が連成されている。そして、頚部２４に節度谷２５の両側に節度山２６と節度谷２７が連成されている。この節度構成体２１の場合も、揺動操作レバー３１の揺動先端３３が節度山２６を乗り越える際には、頚部２４が撓んで揺動する。そして、蛇腹形状部２３がその弾力により揺動先端３３から退く方向へ収縮する。揺動先端３３が節度山２６を乗り越えると、撓んだ頚部２４が戻るとともに蛇腹形状部２３が伸長して、該揺動先端３３を節度谷２７に係合保持する。
【００１０】
上記節度構成体２１の場合も、蛇腹形状部２３の頚部２４の撓みによる節度谷２７及び節度山２６の揺動と蛇腹形状部２３の収縮の重畳効果と、肉厚、蛇腹の数及び頚部２４の太さ等を適宜設定するとにより、揺動操作レバー３１の節度感を最適に調整することができる。
尚、節度構成体１及び２１の固定用のベース２及び２２には、嵌め込みにより固定できるように嵌合用の蟻溝等を形成することも可能である。
【００１１】
本発明の節度構造は、上記したように節度構成体１，２１を合成樹脂による一体成形品としたから、組み付けを簡単かつ迅速に行うことができる。しかも湾曲部４や蛇腹形状部２３及び可撓性の頚部６，２４により弾力部を形成したもので、節度構成体１は、頚部６の撓みによる節度谷８及び節度山１０の揺動と湾曲部４の収縮の重畳効果と、湾曲部４の肉厚、頚部６の太さ及び傾斜面７，９，１１の肉厚等を適宜設定することにより、また、節度構成体２１は、頚部２４の撓みによる節度谷２７及び節度山２６の揺動と蛇腹形状部２３の収縮の重畳効果と、蛇腹形状部２３の肉厚、頚部２４の太さ等を適宜設定することにより、揺動操作レバー３１の節度感を最適に調整することができる。また、揺動操作レバー３１の揺動先端３３は、節度ボールや節度バネを組み込む必要はなく、単純な円弧形若しくは半球形に形成するだけでよいから、製作コストの低減に寄与することができる。
【図面の簡単な説明】
【図１】  本発明に係る揺動操作レバーの節度構造を示した正面図である。
【図２】  同、他の実施の形態を示した正面図である。
【符号の説明】
１，２１...節度構成体
２，２２…固定用ベース
４...湾曲部（弾力部）
６，２４...頚部
８，１２，２５，２７...節度谷
１０，２６...節度山
３１...揺動操作レバー
【図１】
0003763365.tif 000002
【図２】
0003763365.tif 000003